(57)【要約】【課題】たとえば摂取可能なカプセルによって生成され得る画像ストリームの編集を可能にし得る、システムおよび方法を提供する。【解決手段】ワークステーションが、カプセルによって取得された画像を受け付け、画像を動画としてモニタ上に表示する。編集方法は、たとえば、所定の基準に従う画像選択を含み得る。したがって、短縮されたムービーが作成され得る。【選択図】      図１
2006095304.tif 000002
【特許請求の範囲】
【請求項１】
生体内でキャプチャされた画像ストリームを編集する方法であって、
体の管腔内に配置された生体内装置によって取得された画像を受け、
所定の基準に基づいて画像を選択し、および
モニタ上に選択された画像を表示すること
を備える方法。
【請求項２】
選択された画像を表示するステップは、動画の形式である請求項１に記載の方法。
【請求項３】
所定の基準が、数値ベースの基準、品質ベースの基準、注釈ベースの基準、色の弁別の基準、および／または既存の画像との類似度からなるグループから選択される請求項１に記載の方法。
【請求項４】
装置がカプセルである請求項１に記載の方法。
【請求項５】
画像が胃腸管からの画像である請求項１に記載の方法。
【請求項６】
画像ストリームを表示するための方法であって、
データベースに編集方法のリストを挿入し、
画像フレームのリストを受信し、
編集方法のリストから編集方法を選択し、および
画像フレームのリストから、編集方法に従って選択された画像フレームを表示すること
を備える方法。
【請求項７】
画像フレームを表示するステップが動画を表示することを備える請求項６に記載の方法。
【請求項８】
編集方法は、注釈ベースの方法、数値ベースの方法、色の弁別の方法、および／または既存の画像との類似度をベースにする方法からなるグループから選択される請求項６に記載の方法。
【請求項９】
画像ストリームを表示するための編集方法を格納するシステムであって、
生体内装置によって取得された画像を受けることができる画像記憶メモリと、
編集方法のリストを格納することができる編集メモリと、
画像と編集方法の間のリンクへのポインティングおよびリンク手段と
を備えるシステム。
【請求項１０】
生体内装置が飲込み可能なカプセルである請求項９に記載のシステム。
【請求項１１】
画像が胃腸管からの画像である請求項９に記載のシステム。
【発明の詳細な説明】
【技術分野】
【０００１】
本発明は、生体内でキャプチャされた画像ストリームを編集する方法およびシステムに関する。特に、本発明は、事前に定義された基準に従って、生体内でキャプチャされた画像ストリームを編集するシステムおよび方法に関する。
【背景技術】
【０００２】
たとえば医療診断のために使用され得る動画ストリームなどのムービーを見る場合に、観察者は、特定の部分またはフレームを見たいと望むことがあり、またはたとえば事前に設定された基準に従って特定のフレームだけを要約し、他のフレームをスキップする短いプレビューだけを見たいと望み得る。
【０００３】
たとえば、摂取可能なカプセルによって運ばれる生体内画像装置システムは、患者体内の管腔の画像をとるために使用され得る。画像装置システムは、カプセルがＧＩ管腔を通過する間にたとえばＧＩ管の画像をキャプチャし、外部の記録装置に送信する。こうした生体内画像処理システムは、管腔の動画または静止画がそこから見られ得るプラットフォームを提供する。見るために、多数の画像が収集され得る。たとえば、画像は、次々に結合されることができ、たとえば１２０分を超える長さの動画がユーザに提示され得る。
【発明の開示】
【発明が解決しようとする課題】
【０００４】
ユーザたとえば医師が全キャプチャ長のうちの短い要約を見ることを可能にし、したがって、生成された要約に基づく信頼性の高い正確な診断を可能としながら、観察する医師の大事な時間を節約することが望まれる。
【課題を解決するための手段】
【０００５】
本発明の例示的な一実施形態は、好ましくは摂取可能なカプセルなどの生体内画像処理装置によって生成される画像ストリームを編集するためのシステムおよび方法を提供する。ワークステーションは、たとえば動画などの画像を受け、その画像をモニタ上に表示する。ユーザは、編集されたフィルムを作成するための編集方法を選択し、作成された編集されたフィルムを見ることができる。
【０００６】
ストリーム編集方法は、任意の数の、所定のフレーム選択およびフレームスキップに基づく方法、あるいは出血および／または潰瘍などの知られている症状に関する所定の画像の認識に基づく方法を含み得る。
【０００７】
本発明によるシステムおよび方法の原理および動作は図面および以下の説明を参照してよりよく理解されることができ、こうした図面は、例示するためだけに示されており、また限定的なものでないことが理解されよう。
【０００８】
説明を簡潔かつ明確にするために、図中に示す要素は一定の尺度で必ずしも作られていないことが理解されよう。たとえば、一部の要素の寸法および／またはアスペクト比は、明確にするために、他の要素に対して誇張され得る。さらに、適切と見なされる場合、一連の図を通して対応するまたは類似の要素を示すために、図の中で参照番号が繰り返され得る。
【発明を実施するための最良の形態】
【０００９】
以下の説明では、本発明の様々な態様について述べる。本発明についての完全な理解を提供するために、説明の目的で、特定の構成および詳細が示されている。しかし、本発明は、本明細書で提示する特定の詳細なしに実施され得ることも当業者には明らかであろう。さらに、本発明を不明瞭にしないために、よく知られている特徴は省略されまたは簡略化され得る。
【００１０】
他に特段の定めがない限り、以下の議論から明らかであるように、本明細書を通して「処理する」、「計算する」、「格納する」、「決定する」などの用語を使用した議論は、コンピューティングシステムのレジスタおよび／またはメモリ内の電子的な物理量として表されるデータを操作し、及び／またはコンピューティングシステムのメモリまたはレジスタ、あるいは他のこうした情報記憶装置、伝送または表示装置内の物理量として同様に表される他のデータに変換するコンピュータまたはコンピューティングシステム、あるいは類似の電子コンピューティング装置の動作および／またはプロセスに言及していることが理解されよう。
【００１１】
本発明の実施形態は、本明細書中の操作を実施するための装置を含み得る。こうした装置は、所望の目的のために特に構成されることができ、またはコンピュータ内に格納されたコンピュータプログラムによって選択的にアクティブ化されまたは再構成される汎用コンピュータを含み得る。こうしたコンピュータプログラムは、それだけに限らないが、フレキシブルディスク、光ディスク、ＣＤ−ＲＯＭ、磁気光ディスクを含めた任意のタイプのディスク、読出し専用メモリ（ＲＯＭ）、ランダムアクセスメモリ（ＲＡＭ）、電子的プログラマブル読出し専用メモリ（ＥＰＲＯＭ）、電子的消去可能プログラマブル読出し専用メモリ（ＥＥＰＲＯＭ）、磁気または光カード、あるいは電子命令を格納するのに適しており、コンピュータシステムバスに結合されることができる他の任意のタイプの媒体など、コンピュータ読取り可能記憶媒体内に格納され得る。
【００１２】
本明細書で提示されるプロセスおよび表示は、任意の特定のコンピュータまたは他の装置に本質的には関連していない。様々な汎用システムが本明細書中の教示によるプログラムで使用されることができ、または所望の方法を実施するためにより特化された装置を構成することが好都合となり得る。本明細書で述べる本発明の教示を実施するために様々なプログラミング言語が使用され得ることが理解されよう。
【００１３】
本発明の一部の実施形態は、自律型の飲込み可能なカプセルなど、典型的には飲み込むことができる生体内装置に向けられている。他の実施形態は、飲込み可能なまたは自律型である必要はなく、また他の形状または構成を有し得る。本発明の実施形態での使用に適した画像処理、受信、処理、記憶および／または表示装置を含む、本発明の実施形態による装置は、国際出願第ＷＯ０１／６５９９５号および／または米国特許第５６０４５３１号内に記載された実施形態に類似し、それぞれが本発明の同一の譲受人に譲渡され、またそれぞれが本明細書中で参照により組み込まれる。もちろん、本明細書で述べる装置およびシステムは、他の構成、および他の構成要素の組を有し得る。
【００１４】
本発明の一実施形態による生体内画像処理システムの概略図を示す図１を参照する。
【００１５】
一部の実施形態によれば、このシステムは、たとえばカプセル４０などの装置を含み得る。カプセル４０は、飲込み可能なカプセルを使用して実装され得るが、他の類の装置または適切な実装が使用され得る。ある実施形態によれば、カプセル４０は、データの表示、制御または他の機能を提供するために外部の受信および表示システムと通信し得る。たとえば、パワーは、内部バッテリまたは無線受信システムによって供給され得る。他の実施形態は、他の構成および能力を有し得る。
【００１６】
例示的な一実施形態では、このシステムは、画像をキャプチャするための画像装置４６を含むカプセル４０と、体の管腔を照らすための照明源４２と、画像および場合により他の情報を受信装置に送信するための送信機４１とを備える。たとえばレンズまたはミラーを含む光学系は、反射された光の焦点を画像装置４６上に合わせるのに役立ち得る。
【００１７】
好ましくは、患者の体の外部の１つまたは複数の場所に、好ましくはアンテナまたはアンテナアレイと、画像受信機記憶装置１６と、データプロセッサ１４と、データプロセッサ記憶装置１９と、特にカプセル４０によって記録された画像を表示するための画像モニタ１８とを含む画像受信機１２が置かれる。好ましくは、画像受信機１２および画像受信機記憶装置１６は、小さく、携帯可能であり、また画像の記録中に患者の体に着用され得る。本発明の実施形態によれば、データプロセッサ記憶装置１９は、画像データベース２１０と、論理編集データベース２００とを含む。ある実施形態によれば、論理編集データベース２００は、画像データベース内に格納されているどの選択された画像が観察者に表示されるべきかに関する規則、たとえばキャプチャされた任意の数百ものフレームのうちの１つを表示するための規則、または出血や腫瘍などの知られている症状に関する所定の画像をスキャンし選択するための規則の選択を伴う事前定義された基準を含む。
【００１８】
本発明の一実施形態よれば、データプロセッサ１４、データプロセッサ記憶装置１９およびモニタ１８は、プロセッサ１４、メモリ、ディスクドライブおよび入出力装置などの標準の構成要素を含むパーソナルコンピュータまたはワークステーションの一部であるが、代替の構成が可能であり、また本発明のシステムおよび方法は、適切な様々なコンピューティングシステム上で実装され得る。
【００１９】
データプロセッサ１４は、マイクロプロセッサ、マルチプロセッサ、アクセラレータボード、あるいは他の任意のシリアルまたはパラレル高パフォーマンスデータプロセッサなど、任意の標準のデータプロセッサを含み得る。画像モニタ１８は、コンピュータ画面、従来のビデオディスプレイ、あるいは画像または他のデータを提供することができる他の任意の装置であり得る。
【００２０】
好ましくは、画像装置４６は、イスラエルのＧｉｖｅｎ  Ｉｍａｇｉｎｇ  Ｌｔｄ．社によって指定され、また米国カリフォルニア州のＰｈｏｔｏｂｉｔ  Ｃｏｒｐｏｒａｔｉｏｎ社によって設計された「カメラオンチップ」タイプのＣＭＯＳ画像装置など、適切なＣＭＯＳカメラである。代替実施形態では、画像装置４６は、別の装置たとえばＣＣＤであり得る。照明源４２は、たとえば１つまたは複数の発光ダイオード、または別の適切な光源であり得る。
【００２１】
動作において、画像装置４６は画像をキャプチャし、画像を表すデータを送信機４１に送信し、この送信機は、たとえば電磁無線波を使用して画像受信機１２に画像を送信する。画像受信機１２は、画像データを画像受信機記憶装置１６に転送する。データ収集のある期間の後に、記憶装置１６内に格納された画像データは、データプロセッサ１４またはデータプロセッサ記憶装置１９に送信される。たとえば、画像受信機記憶装置１６は、患者の体から取り外され、知られている構成のシリアルまたはパラレルインターフェースなどの標準のデータリンクを介して、データプロセッサ１４とデータプロセッサ記憶装置１９とを含むパーソナルコンピュータまたはワークステーションに接続される。次いで、画像データは、画像受信機記憶装置１６からデータプロセッサ記憶装置１９内の画像データベース２１０に送信される。データプロセッサ１４は、特に論理編集データベース２００に従ってデータを分析し編集し、画像モニタ１８に分析され編集されたデータを提供することができ、このモニタ上で、保健専門家が画像データを観察する。データプロセッサ１４は、オペレーティングシステムおよび装置ドライバなどの基本のオペレーティングソフトウェアと連携してデータプロセッサ１４の動作を制御するソフトウェアを動作させる。一実施形態によれば、データプロセッサ１４を制御するソフトウェアは、Ｃ＋＋言語、および場合により追加の言語で書かれたコードを含むが、知られている様々な方法で実装され得る。
【００２２】
収集され格納された画像データは、無期限に格納され、他の場所に転送され、あるいは操作されまたは分析され得る。保健専門家は、その画像を使用して、たとえばＧＩ管（食道など）の病的状態を診断することができ、またさらに、このシステムは、こうした病状の位置に関する情報を提供し得る。データプロセッサ記憶装置１９がまずデータを収集し、次いでデータプロセッサ１４にデータを転送するシステムを使用する間は、画像データはリアルタイムには見られないが、他の構成はリアルタイムに見ることを可能にする。
【００２３】
たとえば、ある実施形態によれば、生体内装置からの生成されたデータのストリームを見ている間、観察者は、論理編集データベース２００からの編集方法を使用し、論理データベース２００の事前定義された基準による選択された画像だけを表示することができる。
【００２４】
画像モニタ１８は、好ましくは静止画および動画の形の画像データを提示し、またさらに、他の情報を提示し得る。例示的な一実施形態では、こうした追加の情報は、それだけに限らないが、示されている現在の画像について経過した絶対時間、および要約情報を含み得る。示されている現在の画像について経過した絶対時間は、たとえば、カプセル４０が最初にアクティブ化され、画像受信機１２がカプセル４０からの送信を受信し始めた瞬間と、表示されている現在の画像がキャプチャされた瞬間の間に経過した時間量であり得る。他の実施形態では、経過時間は、動画の開始から現時点までに経過した時間など、他の測定であり得る。さらなる実施形態では、経過したフレームの数などの測定が使用され得る。例示的な実施形態では、情報の様々なカテゴリがウィンドウ内に表示され得る。複数のモニタを使用して、画像および他のデータを表示することができる。
【００２５】
ある実施形態によれば、生体内画像装置システムは、それがＧＩ管を横断する間に一連の静止画を収集する。画像は、たとえばＧＩ管の横断の画像ストリームまたは動画として後に提示され得る。カプセル４０がＧＩ管を横断するのに数時間を要し得るので、生体内画像装置システムは大量のデータを収集することができ、たとえば１秒ごとに２つの画像などのレートで画像を記録し、何千もの画像の記録をもたらし得る。画像記録率（またはフレームキャプチャレート）は変っても良い。
【００２６】
好ましくは、カプセル４０によって記録され送信される画像データはデジタルカラー画像データであるが、代替実施形態では、他の画像形式が使用され得る。例示的な一実施形態では、画像データの各フレームは、それぞれ２５６ピクセルの２５６行を含み、それぞれのピクセルが、知られている方法に従って色および輝度のためのバイトを含む。たとえば、それぞれのピクセル内で色は、４つのサブピクセルのモザイクによって表されることができ、各サブピクセルが赤、緑または青などの原色に対応する（１つの原色が２度表される場合）。ピクセル全体の明るさは、１バイト（すなわち０〜２５５）の輝度値によって記録される。ある実施形態によれば、画像は、データプロセッサ記憶装置１９内に順次格納される。格納されたデータは、色および輝度を含めて、１つまたは複数のピクセル属性からなり得る。
【００２７】
好ましくは、情報収集、格納および処理は特定の装置によって実施されるが、本発明のシステムおよび方法は、代替構成で実施されることもできる。たとえば、画像情報を収集するコンポーネントは、カプセル内に含められる必要はないが、内視鏡、ステント、カテーテル、針など、人体内の管腔を横断するのに適した他の移動手段内に含められ得る。
【００２８】
好ましくは、データプロセッサ記憶装置１９は、カプセル４０によって記録される一連の画像を格納する。カプセル４０が患者のＧＩ管を進む間に記録する画像は、動画を形成するために連続して結合され得る。この動画は、モニタ１８上のウィンドウ内に表示され得る。動画は、１つのフレームを表示するために凍結され、加速されまたは反転され得る。ある実施形態によれば、セクションは、論理データベース２００内に格納された事前定義された基準に従って自動的にまたはユーザによってスキップされ得る。以下の議論はカプセル４０からのデータが後に使用するために格納されるケースに関するが、本発明のシステムおよび方法は、画像データのリアルタイム表示を可能にするシステムで使用され得る。
【００２９】
例示的な一実施形態では、動画は一連の画像として画像データベース２１０内に格納され、論理編集方法または規則は、論理データベース２００内に格納される。画像データベース２１０および論理データベース２００は、知られている様々なやり方で実装され得る。例示的な一実施形態では画像データベース２１０および論理データベース２００は同じ一般的な記憶装置内に格納されるが、代替実施形態では、画像データベース２１０および論理データベース２００は別個に格納され得る。さらに、画像データベース２１０および論理データベース２００内に格納された情報は、様々な組合せで格納されることができ、たとえば画像と論理編集規則／方法が同じデータベース内に格納され得る。好ましくは、画像データベース２１０内の編集された画像に対応する論理データベース２００内のエントリは、画像データベース２１０内の画像、または画像に対応するデータベース記録へのポインタまたはデータベース参照などのリンクを含む。リンクは、たとえば画像がキャプチャされた相対時間、または画像フレーム番号を含み得る。代替実施形態では、組のまたは一連の画像が注釈内に格納され得る。さらなる実施形態では、画像データと編集データが同じデータベース内に格納され得るので、こうしたリンクは必要ない。代替実施形態では、本発明を実施するために、他の一連のステップが使用され得る。
【００３０】
本明細書では、「事前定義された基準」およびその派生物は、任意の種類の論理的方法／規則、たとえばパラメータに従ってフレームを選択する規則を示し得る。パラメータは、表示のために生成された１００または２００個の画像ごとに１つの画像を選択するなど、数値ベースであり得る。一部の実施形態によれば、パラメータは、たとえば画像の各グループから最も質的な画像を選択するなど、画像品質ベースであり得る。他の編集方法は、画像データベース２１０内の特定の事前定義された領域または画像の論理スキャン、たとえば画像内の色の弁別、またはデータベース内の既存画像との類似のパーセンテージに基づく内部出血の医療診断自動スキャンなど、それぞれ異なる基準に基づくことができ、それは、本願と同一の譲受人に譲渡された米国特許出願第１０／０９７０９６号「ＭＥＴＨＯＤ  ＡＮＤ  ＳＹＳＴＥＭ  ＦＯＲ  ＤＥＴＥＣＴＩＮＧ  ＣＯＬＯＲＩＭＥＴＲＩＣ  ＡＢＮＯＲＭＡＬＩＴＩＥＳ  ＩＮ  ＶＩＶＯ」に記載されたものと類似し得、その全体が参照により組み込まれる。
【００３１】
本発明の一部の実施形態によれば、ユーザは、特定の必要性に従って編集方法を定義し作成し、いくつのまたはどの特定のフレームを表示するかを選択することもできる。特定の時間フレームは、たとえば食道から生成された画像を３つごとに、また胃の管腔から生成された画像を３０個ごとに表示するなど、それぞれの体の部分について設定され得る。さらに、一部の実施形態によれば、たとえば疑わしい出血部分をスキャンし、スキャン結果の３フレームごとに表示するなど、複数の編集方法が組み合わせられ、使用され得る。
【００３２】
ある実施形態によれば、動画を表示するときに、モニタ１８上で３つのウィンドウがユーザに提示される。画像ウィンドウは、動画またはその画像の静止部分を提供する。こうしたウィンドウは、画像の表示を変更し得るボタンまたは他のコントロール、たとえば停止、再生、一時停止、画像キャプチャ、ステップ、早送り、巻戻しまたは他のコントロールを含み得る。こうしたコントロールは、たとえば、マウスやトラックボールなどのポインティング装置によってアクティブ化され得る。
【００３３】
本発明のある実施形態によれば、ユーザは、データがストリーミングされている間に、ある編集システムから他の編集システムに切り換えることができる。切換えを知らせる／確認するメッセージウィンドウの入力が促されることができ、結果として生じる画像の領域および時間フレームが、選択された編集システムに関するすべての関連する詳細と共に表示され得る。
【００３４】
一部の実施形態によれば、タイムラインウィンドウは、タイムライン、動画の合計経過時間の表示を提供することができ、たとえば動画の合計経過時間、およびキャプチャ装置出力全体のうちから表示されたフレームのパーセンテージ、ならびに選択された編集方法に基づいて観察者が要約するものなど、選択された編集方法に基づく他の情報を提供することができる。ある例示的な実施形態では、タイムラインは、注釈に関連する部分について経過した時間を示す部分のタイムラインに視覚的に付けられた異なる色をもつ時間単位でラベル付けされたバーでもよい。
【００３５】
図２に、本発明の一実施形態による、図１のモニタ１８上に表示される画像およびコントロール領域の図を示す。画像ウィンドウ３００は、動画３０２、または動画３０２の静止部分を示す。コントロール３０４は、動画３０２の表示を変更することができる。編集コントロール３０６は、ユーザがたとえばチャート３１０内にリストされた使用可能な方法のリストから編集方法を選択することを可能にする。
【００３６】
本発明の一部の実施形態によれば、それぞれの編集方法に異なるコントロール３０４ボタンが割り当てられる。たとえば、疑わしい血液の指標（ＳＢＩ）のスキャンに基づく方法では、ナビゲーションウィンドウが、画像の凍結、早送りおよび巻戻しオプションなどを可能にするボタンと共にポップアップ表示される。タイムラインウィンドウ３１４は、タイムラインまたはタイムチャート３１２を提供し、選択された変編集方法に基づく、タイムチャート３１２上の適切な相対時間に関する注釈の要約３１３を含む。
【００３７】
図３に、本発明の一実施形態による、選択された編集方法に基づいて動画を表示するためのフローチャートを示す。ステップ４１０で、それぞれ異なる編集方法が、生体内画像処理システムに取り入れられる。編集方法は、たとえば編集方法リストとして論理編集データベース２００内に格納され得る。一部の実施形態によれば、ユーザは、出力されたムービーが画像データベース内に格納される前、こうしたムービーが格納された後、または格納されたムービーの再生中に編集方法を選択することができる。
【００３８】
ステップ４２０で、このシステムは、画像フレームのリストを受信し、それを画像データベース内に格納し得る。ステップ４３０で、ユーザは、編集方法リストから編集方法を選択し得る。好ましくは、ユーザは、編集方法選択画像ボタン３０６などのコントロールを押下して、所望の編集方法を選択する。ステップ４４０で、ユーザは、選択した編集方法によってもたらされる画像ストリームを見得る。本発明の一部の実施形態によれば、それぞれの方法に、編集システムの容易で効果的な使用を可能にする特定のツールウィンドウが割り当てられる。
【００３９】
たとえば、１０フレームごとのフレームから編纂された要約ムービーを表示する編集方法では、ムービー再生、フレーム凍結、早送りおよび巻戻しオプションを可能にする特定のボタンが割り当てられる。
【００４０】
さらに、一部の実施形態によれば、より詳細な表示が必要な場合に、ユーザがフレーム選択および編集方法を切り換えることを可能にする編集システム選択ボタンが使用可能である。このボタンは、ユーザが容易に編集方法の間で切換えを行い、たとえば２０フレームごとの要約表示から、２フレームごとを要約するより詳細なムービーに切り換えることを可能にする。したがって、ユーザは、記録された時間フレームごと、または画像化された体の部分ごとにそれぞれ異なる方法を使用することができる。ユーザは、フレームの数値選択に基づく方法と、ＳＢＩモードまたは編集ファインディングモードの間でスイッチを切り換えることもできる。
【００４１】
一部の実施形態によれば、ユーザは、たとえばキーボードを使用して画像のテキスト説明などの注釈情報を入力することができる。注釈は、注釈データベース内のエントリ内に格納され得る。好ましくは、画像データベース２１０内の注釈付きの画像に対応する注釈データベース内のエントリは、画像データベース内の画像、または画像に対応するデータベース記録へのポインタまたはデータベース参照などのリンクを含む。リンクは、たとえば画像がキャプチャされた相対時間または画像フレーム番号を含み得る。代替実施形態では、組または一連の画像が注釈内に格納され得る。
【００４２】
ユーザは、注釈を見て、編集することができる。典型的には、ユーザは、たとえばタイムラインウィンドウまたは注釈ウィンドウ内の注釈を示すためのポインティング装置を使用することによって最初に注釈を選択する。注釈または注釈の要約が、タイムラインまたは注釈ウィンドウ以外の領域に表示され得る。注釈の全文または表現が表示され、あるいは別の方法で表示または出力され、たとえばユーザは、たとえばポップウィンドウ内でテキストを読みまたは編集することができる。ユーザは、注釈内に含まれる画像または画像の組の拡大表示を見ることができる。注釈が１組の画像を含む場合には、ユーザは、１組の画像を動画として見ることができる。一部の実施形態によれば、注釈に基づく画像ストリームが作成され得る。好ましくは、画像データベース２１０内の注釈付きの画像に対応する注釈データベース内のエントリは、画像データベース内の画像、および／または画像に対応する論理編集データベース２００記録へのポインタまたはデータベース参照などのリンクを含む。
【００４３】
本発明の諸実施形態についての上記説明は、図示し、説明するために提示されている。それは、網羅的なものではなく、または開示した詳細な形式に本発明を限定するものではない。上記の教示に鑑みて、多くの修正、変形、代替、変更および均等なものが可能であることを当業者には理解されたい。したがって、添付の特許請求の範囲は、本発明の真の精神の範囲内に含まれるすべてのこうした修正および変更を網羅するものであることを理解されたい。
【図面の簡単な説明】
【００４４】
【図１】本発明の一実施形態による生体内画像処理システムの概略図である。
【図２】本発明の一実施形態による、図１のモニタ上に表示された画像、ならびに１組のステアリングおよび編集ツールを示す図である。
【図３】本発明の一実施形態による、選択された論理編集方法に従って、編集された動画を表示するためのフローチャートである。
【符号の説明】
【００４５】
１２  画像受信機
１４  データプロセッサ
１６  画像受信機記憶装置
１８  画像モニタ
１９  データプロセッサ記憶装置
４０  カプセル
４１  送信機
４２  照明源
４６  画像装置
２００  論理編集データベース
２１０  画像データベース
３００  画像ウィンドウ
３０２  動画
３０４  コントロール
３０６  編集コントロール
３１０  チャート
３１２  タイムチャート
３１３  要約
３１４  タイムラインウィンドウ
【図１】
2006095304.tif 000003
【図２】
2006095304.tif 000004
【図３】
2006095304.tif 000005
【外国語明細書】
2006095304.tif 000006
2006095304.tif 000007
2006095304.tif 000008
2006095304.tif 000009
2006095304.tif 000010
2006095304.tif 000011
2006095304.tif 000012
2006095304.tif 000013
2006095304.tif 000014
2006095304.tif 000015
2006095304.tif 000016
2006095304.tif 000017
2006095304.tif 000018
2006095304.tif 000019
2006095304.tif 000020
2006095304.tif 000021
2006095304.tif 000022
2006095304.tif 000023
2006095304.tif 000024
2006095304.tif 000025
2006095304.tif 000026